(57)【要約】【課題】　砂糖、醤油などの計量で家庭用の計量セットとして定着している大さじ、小さじ、カップの組み合わせは、カップとスプーンという形状を異にしたものが一般的で量目も少なく改善が望まれる。また計量容器を多種量目取りそろえるには配置、収納、取り扱いなどで制約が多い。【解決手段】　逆円錐形の計量容器で、容器底部となる円錐先端角部の角度を９０度から６０度の間として上下左右の偏りを少なくし、容器の肉厚を等しく取って、結果各種量目の計量用容器が同一角度によって共通し、隙間なく密着して重ね合わせることができ、５ＣＣ（小さじ），１５ＣＣ（大さじ），２００ＣＣ（カップ）、２．５ＣＣ（小さじ二分の一）、７．５ＣＣ（大さじ二分の一）、１００ＣＣ（カップ二分の一）など幅広くラインナップして組み合わせ、目盛り計量を含め一元化してコンパクトな計量用容器セットとした。【選択図】　　　　図１
2004004126.tif 000002
【特許請求の範囲】
【請求項１】
　逆円錐形の計量容器で、容器底部５では僅かな丸みをもつ形状で、また該円錐先端角度を９０度（垂線からそれぞれ４５度）から６０度（垂線からそれぞれ３０度）の間とし、容器底部５の丸みの個所も含め容器の肉厚を等しく取って、結果内形外形において同じ円錐先端角度とすることによって、製された各種量目の計量用容器が同一角度によって共通し、隙間なく密着して重ね合うことが可能であり、これにより５ＣＣ（小さじ），１５ＣＣ（大さじ），２００ＣＣ（カップ）、および２．５ＣＣ（小さじ二分の一）、７．５ＣＣ（大さじ二分の一）、１００ＣＣ（カップ二分の一）などの量目について擦り切り計量容器１として組み合わせ、またこれらのうち最大の容器には目盛りおよび数値を付し、透明な材質などとし該容量における擦り切り計量のほか、該容量以下の量目についての液体などの目盛り計量を行なう目盛り計量用容器２として機能する組み合わせセット。該セットには擦り切り計量用容器１と同様の容器体で、容器底部５の先端が貫通して孔１０を形成した漏斗用容器３を一個組み入れる。さらに擦り切り計量容器１および漏斗用容器３の上縁６より同じ肉厚のまま部分的に延伸して、指が掛かりやすいよう一部に窪みのある柄部７を形成し、該部にはそれぞれの容量を示す量目を表記する。該セットの最大容器である目盛り計量用容器２には自体に台座部８および取っ手部９を一体として有す。
【請求項２】
　円錐角部の角度を上記の９０度（垂線からそれぞれ４５度）から６０度（垂線からそれぞれ３０度）の間に特に拘らない、また構成する量目についても同様の、各種量目容器で構成される請求項１記載の計量用容器の組み合わせセット。
【請求項３】
　組み合わせセットのうち最大の容器である目盛り計量用容器２に見合って製され、その内面１２に、計量容器の円錐先端角度と同一な円錐先端角度を内形において有する複数の円錐形台座１１を一体にて有する皿状の円柱形フタ４。
【発明の詳細な説明】
【技術分野】
【０００１】
　本発明は、家庭用のコンパクトな容量計量用容器セットに関するものである。
【背景技術】
【０００２】
　液体容量を計量する場合のように水平液面と目盛りが合致すれば目視によってそれを確認できるため、一個の計量容器によりそれ以下である各量目について目盛りに照らして計量することができる。
【０００３】
　しかし粉体、粒体などでの擦り切り計量では一個の計量容器で各種を行なうのは容易でないため、正確を期すためには各種量目に従い容器を多くしなければならず、それでは容器の配置、収納などスペースの問題があって取り揃えるには制約が多い。
【０００４】
　また調味料などの計量に用いられる所謂家庭用の計量セットとして定着している大さじ、小さじ、カップの組み合わせでは、カップとスプーンという形状を異にする組み合わせが一般的で、不便さが残されたままであり、改善が望まれる現状であると言える。
【特許文献１】特開２００１―１２９９１号公報
【特許文献２】実開平６―１８９２８号公報
【発明の開示】
【発明が解決しようとする課題】
【０００５】
　そこで、量目を各種取り揃えながら、コンパクトに組み合わせることが可能な家庭用の擦り切り計量および目盛り計量用の容器組み合わせセットの発明を課題とする。
【課題を解決するための手段】
【０００６】
　以上の課題を解決するため、第一発明では逆円錐形の計量容器で、円錐先端角度を９０度（垂線からそれぞれ４５度）から６０度（垂線からそれぞれ３０度）の間とすることにより、上下左右（高さおよび幅）のいずれにも偏りの少ない容器とし、さらに容器の肉厚を等しく取って、結果外形においても同じ円錐先端角度とすることによって、各種量目の計量用容器が同一角度によって共通し、隙間なく密着して重ね合わせることが可能である。これにより５ＣＣ（小さじ），１５ＣＣ（大さじ），２００ＣＣ（カップ）、および２．５ＣＣ（小さじ二分の一）、７．５ＣＣ（大さじ二分の一）、１００ＣＣ（カップ二分の一）などを擦り切り計量容器１として組み合わせ、またこれらのうち最大の容器には目盛りおよび数値を付し、透明な材質などとし該容量における擦り切り計量容器１としてのほか、該容量以下の量目について液体などの目盛り計量用容器２として機能するものとした組み合わせセットである。
【０００７】
　該計量用容器の組み合わせセットには、容器底部５にあたる円錐先端角部が貫通して孔１０を形成する漏斗用容器３を一個組み入れる。これは、たとえば２０ＣＣを超えるものなどでは計量容器の上縁６が円形で広口となるため被計量物を他へ移し変えするなど排出移転がスムースに行なわれるように専らじょうご（漏斗）の役割として使用するものである。
【０００８】
　さらに、セットにおける最大容器である目盛り計量用容器２には、自体に台座部８および取っ手部９を一体として有し、自体およびセット全体の安定収納、配置を行なう。
【０００９】
　また第二発明では、該円錐先端角度を上記の９０度（垂線からそれぞれ４５度）から６０度（垂線からそれぞれ３０度）の間に特に拘らない、また構成する量目についても同様の、各種量目容器で構成される請求項１記載の計量用容器の組み合わせセットである。
【００１０】
　第三発明では、組み合わせセットのうち最大の容器である目盛り計量用容器２に見合って製された皿状の円柱形フタ４の内面１２に、容器の円錐先端角度と内形が同一な逆円錐形容器状物を一体にて複数設け円錐形台座１１とし、被計量物を入れた状態などでの各擦り切り計量容器１、および漏斗用容器３を安定配置できるようにするものである。
【発明の効果】
【００１１】
　第一発明では容器高さの僅かな増加すなわち同時に円錐半径も同等比率の増加、に比し容積は幾何級数的に増大させることができ、逆に捉えれば、僅かな容量のものほど錐体ゆえの、容量の割に高さを有するという利点がもたらされる。さらに形状は簡素であり、微小、小および大へと各量目を多数取り揃えても、密着して重ね合うので配置、収納にスペースを取らず、また一度で確実に重ね合うという納まりのよい利便性をもつ。円錐先端角度を９０度（垂線からそれぞれ４５度）から６０度（垂線からそれぞれ３０度）の間とすることにより、上下左右のいずれにも偏りを少なく対容量においてコンパクトな配置、収納スペースに留めることができ、幅広い量目にわたって理想的な組み合わせにすることができる。小容量、例えば１５ＣＣ，５ＣＣなどの計量では、計量スプーンなどの従来のものに比しても、また他の形体の計量用容器に比しても、多くの場合で、より高さがあって明瞭に計量確認できる利点がある。同様に小容量では数値の接近した容量でも相対する高さの差が比較的充分に表われ、明瞭な量目別の容器区分ができる。そのため大さじ二分の一、小さじ二分の一などレシピによく示される量目についてもラインナップすることができ、お菓子作りなどにおいて求められる正確な微量計量に応えることができる。また形状において、取り扱いにおいて馴染みやすく生活に浸透しやすいものである。
【００１２】
　組み合わせセットで最大の容器には目盛りが付され、容器容量以下の量目についての液体などの目盛り計量容器２としての役割を同時に担う。
【００１３】
　これらにより液体や粉体、粒体などにわたり、各種量目の容量計量を概ね網羅することができ、実用性を具えたセットとすることができる。
【００１４】
　第二発明では、逆円錐形計量容器の円錐先端角度を小さくとることによって微小容量などでの区分差をより鮮やかに明確にできるという特長を有するなど、円錐先端角度の大小いずれにおいてもそれぞれの要求に従い家庭用の枠をこえて選択的に使い分けることが可能である。
【００１５】
　第三発明では、使用時において外され上向きに置かれた円柱形フタ４の内面１２の円錐形台座１１に擦り切り計量容器１および漏斗用容器３を必要に応じて個々に安定的に配置でき、能率よく計量作業することができ、便利である。
【００１６】
　いずれについても幾何学的な美観を呈し、調理用などでは生活空間において有意義なものである。
【発明を実施するための最良の形態】
【００１７】
　この発明の一実施形態を、図１に示す。
【００１８】
　容器の円錐先端角度を９０度（垂線からそれぞれ４５度）から６０度（垂線からそれぞれ３０度）の間とし、容器底部５では僅かな丸みをもち、また擦り切り計量容器１および漏斗用容器３の上縁６より同じ肉厚のまま部分的に延伸して柄部７を設け、該部には量目を表記し、また指が掛かりやすいよう部分的に窪みなどをもたせて、使用時に各量目の容器の中から柄部７を手に目的の容器を取り出して使用する。
【００１９】
　また容器使用時では円柱形フタ内面１２を上向きに置いて各容器を円錐形台座１１に配置し、あるいは重ね合わせて配置するなどし、手順よく計量作業をすすめることができる。
【００２０】
　被計量物の容器移転や排出には必要に応じ漏斗用容器３を使用して円滑に作業を行なう。
【００２１】
　組み合わせセットは家庭用計量器として一般的な、５ＣＣ（小さじ），１５ＣＣ（大さじ），２００ＣＣ（カップ）、および２．５ＣＣ（小さじ二分の一）、７．５ＣＣ（大さじ二分の一）、１００ＣＣ（カップ二分の一）用を採用し、その他各種量目容器で構成する。
「実施形態の効果」
　調理やお菓子作りにおいて大さじ二分の一、小さじ二分の一などの計量で容器による正確な計量ができる。
【００２２】
　また円錐先端角度が９０度から６０度の間のため、上下左右（高さおよび幅）のいずれにも偏りの少ない容器であり、コンパクトであると同時に、各個の取り出しもスムースになされる。
「他の実施形態」
　容量によっては円錐先端角度を自由にとった容器とし、微量な容量のもののみの組み合わせなどの場合は円錐先端角度を６０度に届かない鋭角状にとって、高さの差を際立たせることができる。また他の用途を兼ねそえる場合ではその目的にそって自在な選択を行なうものである。
【図面の簡単な説明】
【００２３】
【図１】本発明の一実施形態を示す斜視図である。
【図２】本発明の一重ね合わせ状態を示す上面図である。
【図３】図２のＡ−Ａ線における矢視断面図である。
【図４】図２における側面図である。
【図５】擦り切り計量容器の一実施形態を示す斜視図である。
【図６】漏斗用容器の一実施形態を示す斜視図である。
【図７】円錐形台座使用時における円柱形フタの一状況を示す斜視図である。
【図８】円柱形フタの図７における上面図である。
【図９】図８のＢ−Ｂ線における断面図である。
【図１０】計量スプーンなど従来の家庭用計量セットの一例図である。
【符号の説明】
【００２４】
１　擦り切り計量容器。
２　目盛り計量容器。
３　漏斗用容器。
４　円柱形フタ。
５　容器底部。
６　上縁。
７　柄部。
８　目盛り計量容器台座部。
９　目盛り計量容器取っ手部。
１０　孔。
１１　円錐形台座。
１２　円柱形フタ内面。
１３　円柱形フタ外面。
【図１】
2004004126.tif 000003
【図２】
2004004126.tif 000004
【図３】
2004004126.tif 000005
【図４】
2004004126.tif 000006
【図５】
2004004126.tif 000007
【図６】
2004004126.tif 000008
【図７】
2004004126.tif 000009
【図８】
2004004126.tif 000010
【図９】
2004004126.tif 000011
【図１０】
2004004126.tif 000012